(57)【特許請求の範囲】
【請求項１】
室内空気を吸気すると共に当該空気調和機内の空気を室内へ送風する送風ファンを駆動する駆動モータと，
前記駆動モータを制御する駆動モータ制御手段と，
前記送風ファンにより吸気された室内空気を加熱するべく供給電力に応じて発熱する加熱ヒータ，或いは冷媒と空気との間で熱交換を行う熱交換器と，
前記加熱ヒータ或いは前記熱交換器の近傍の温度を検出する温度検出手段と，
を備えてなる空気調和機であって，
前記駆動モータ制御手段が，前記温度検出手段による検出温度が既定の第１の温度以上である場合に，前記温度検出手段による検出温度が前記第１の温度未満の既定の第２の温度以下になるまで前記駆動モータの回転数を予め設定された待機時間経過ごとに所定量ずつ徐々に増加させてなることを特徴とする空気調和機。
【請求項２】
前記駆動モータ制御手段が，
前記温度検出手段による検出温度が一定時間以上既定の第３の温度以下である場合に，既定の下限回転数を限度に前記駆動モータの回転数を徐々に減少させてなる請求項１に記載の空気調和機。
【請求項３】
室内空気を吸気すると共に当該空気調和機内の空気を室内へ送風する送風ファンを駆動する駆動モータと，
前記駆動モータを制御する駆動モータ制御手段と，
空気と冷媒との間で熱交換を行う熱交換器と，
前記熱交換器の温度を検出する熱交換器温度検出手段と，
を備えてなる空気調和機であって，
室内の温度を検出する室内温度検出手段と，
当該空気調和機内の温度を検出する機内温度検出手段と，
を備えてなり，
前記駆動モータ制御手段が，前記室内温度検出手段による検出温度が前記機内温度検出手段による検出温度よりも高く，且つ前記熱交換器温度検出手段による検出温度が前記熱交換器で凝縮された凝縮水が凍結する既定の第４の温度以下である場合に，前記駆動モータの回転数を予め設定された待機時間経過ごとに所定量ずつ徐々に増加させてなることを特徴とする空気調和機。
【請求項４】
前記駆動モータ制御手段が，
前記熱交換器温度検出手段による検出温度が前記第４の温度よりも高い既定の第５の温度以上になるまで前記駆動モータの回転数を予め設定された待機時間経過ごとに所定量ずつ徐々に増加させてなる請求項３に記載の空気調和機。
【請求項５】
前記駆動モータ制御手段が，
前記熱交換器温度検出手段による検出温度が一定時間以上既定の第６の温度以上である場合に，既定の下限回転数を限度に前記駆動モータの回転数を徐々に減少させてなる請求項３又は４のいずれかに記載の空気調和機。
【請求項６】
供給電力に応じて発熱する加熱ヒータを更に備えてなり，
前記機内温度検出手段が，前記加熱ヒータの使用時には該加熱ヒータの近傍の温度を検出するものである請求項３〜５のいずれかに記載の空気調和機。
【請求項７】
前記駆動モータ制御手段による前記駆動モータの制御状態に関する制御情報を記憶する制御状態記憶手段を更に備えてなり，
前記駆動モータ制御手段が，前記制御状態記憶手段に記憶された前記制御情報に基づいて前記駆動モータの回転数を制御してなる請求項１〜６のいずれかに記載の空気調和機。
【発明の詳細な説明】
【技術分野】
【０００１】
本発明は，室内空気を吸気すると共に当該空気調和機内の空気を室内へ送風する送風ファンを有する空気調和機に関し，特に，前記送風ファンを駆動する駆動モータの回転数制御に関するものである。
【背景技術】
【０００２】
従来から，空気調和機では，暖房運転時に熱交換器の近傍温度が高温となった場合に，電動圧縮機の電動機の回転数を制御して冷媒の膨張の進行度合いを調整することによって，前記冷媒が流通する熱交換器の近傍温度が調節されている。また，前記電動圧縮機の電動機の回転数制御だけでは，前記熱交換器の近傍温度を低下させることができない場合には，前記電動圧縮機の動作を一時的に停止させることにより熱交換器の近傍温度の低下が図られている。
一方，特許文献１には，熱交換器が過熱状態である場合に，送風ファンの回転数を増加させて風量を増加させることにより，熱交換器の近傍温度を低下させることが提案されている。これにより，電動圧縮機の動作を停止させる回数が低減される。
また，特許文献２には，空気の吹出し口に配設された温度センサにより該吹き出し口の過熱が検出された場合に，その過熱を緩和するように当該空気調和機に設けられ送風ファン（送風手段）を制御することが提案されている。
【０００３】
一方，空気調和機の冷房運転時では，室内温度と大差のある設定温度が設定された場合には，熱交換器内の冷媒が急激に冷やされ該熱交換器に結露した水滴が凍結し，熱交換器の隙間を塞ぎ或いは凍結が拡大して熱交換器を破損させるおそれがある。そのため，従来から，熱交換器の近傍温度が約０℃となった場合には，電動圧縮機の駆動を停止させて熱交換器の近傍温度を上昇させることにより，該熱交換器における水滴の凍結防止が図られる。
【特許文献１】特開平８−１２８７０５号公報
【特許文献２】特開２００１−２８９５１０号公報
【発明の開示】
【発明が解決しようとする課題】
【０００４】
しかしながら，前記特許文献１に示されているように，空気調和機の暖房運転時に送風ファンの駆動モータの回転数を増加させる場合，その駆動モータの回転数を急激に増加させると，該駆動モータの回転数がオーバーシュートして騒音を発生し，ユーザに対して不快感を与えるという問題が生じる。また，空気調和機の吸気口や吹出し口のフィルタが目詰まりしている場合，或いは吸気口や吹出し口にダクトが設けられている場合には，空気の流通が制限されて送風ファンの回転負荷が大きくなるため，その状態で駆動モータの回転数を急激に増加させると駆動モータやその駆動モータの駆動を制御する制御回路において過電流が発生し，これらの過熱や破損を招来するという問題もある。
【０００５】
一方，空気調和機の冷房運転時に電動圧縮機の駆動を停止させて熱交換器の近傍温度を上昇させることは，冷房環境を得たいと思うユーザの意図に反し，また，電動圧縮機の駆動／停止を繰り返すことにより電力消費が増大するため好ましくない。
【０００６】
従って，本発明は上記事情に鑑みてなされたものであり，その第１の目的とするところは，送風ファンの駆動モータの回転数を無駄に上昇（オーバーシュート）させることのない空気調和機を提供することにあり，第２の目的とするところは，電動圧縮機の動作を停止させることなく熱交換器における水滴の凍結を防止し得る空気調和機を提供することにある。
【課題を解決するための手段】
【０００７】
上記第１の目的を達成するために本発明は，室内空気を吸気すると共に当該空気調和機内の空気を室内へ送風する送風ファンを備えてなる空気調和機に適用されるものであり，前記送風ファンにより吸気された室内空気を加熱する加熱手段の近傍の温度を検出し，その検出温度が既定の第１の温度以上である場合に，前記送風ファンを駆動する駆動モータが，該駆動モータの回転数が前記加熱ヒータの近傍の温度が前記第１の温度未満の既定の第２の温度以下になるまで予め設定された待機時間経過ごとに所定量ずつ徐々に増加するように制御される。ここに，前記加熱手段は，供給電力に応じて発熱する加熱ヒータ，或いは冷媒と空気との間で熱交換を行う熱交換器であることが考えられる。
これにより，前記送風ファンの駆動モータの回転数は，急激に増加されないためオーバーシュートに起因する騒音や，前記駆動モータ及び該駆動モータを駆動する駆動回路における過電流の発生を防止することができる。なお，前記第１の温度を前記加熱ヒータや前記熱交換器などの加熱手段の過熱温度（例えば６５℃）に設定しておき，前記検出温度が前記第１の温度以上となった場合に，前記送風ファンの駆動モータの回転数を増加させることにより前記加熱ヒータや前記熱交換器などの加熱手段の過熱を防止することができるため，電動圧縮機の動作を停止させる必要はない。また，送風ファンや駆動モータの駆動による騒音の防止や消費電力の削減の観点からは，前記駆動モータの回転数の増加は必要最小限にとどめることが望ましいため，本発明は，前記第２の温度（例えば，６０℃）以下になれば前記駆動モータの回転数の増加が停止されるよう構成されている。なお，前記駆動モータの回転数の増加は，この駆動モータの許容上限回転数を限度に行われることはいうまでもない。
【０００８】
さらに，前記加熱手段の近傍の温度が低下し，過熱が生じるおそれがない場合には，前記駆動モータの回転数は前記増加された回転数である必要がないため，前記検出温度が一定時間以上既定の第３の温度（例えば，５０℃）以下である場合には，既定の下限回転数を限度に前記駆動モータの回転数を徐々に減少させることが考えられる。ここに，前記下限回転数とは，例えば前記空気調和機においてユーザにより設定された風量を出力し得る回転数に相当する。
ところで，前記加熱手段が，供給電力に応じて発熱する前記加熱ヒータである場合，その加熱ヒータの発熱量は，商用交流電源の電力に地域差があることに起因して変動するが，一度設置されるとその地域内での商用交流電源の電力の変動は少ない。したがって，前記加熱ヒータの過熱を防止するべく変更された前記駆動モータの回転数など，前記駆動モータの制御状態に関する制御情報を記憶手段（制御情報記憶手段）に記憶しておき，その後は，その記憶手段に記憶された制御情報に基づいて前記駆動モータの回転数を制御することにより，商用交流電源の電力の地域差に起因する前記加熱ヒータの過熱を，毎回前記駆動モータの回転数を変更することなく防止することができる。
【０００９】
また，上記第２の目的を達成するために本発明は，室内空気を吸気すると共に当該空気調和機内の空気を室内へ送風する送風ファンを備えてなる空気調和機に適用されるものであって，空気と冷媒との間で熱交換を行う熱交換器の温度と，室内の温度と，当該空気調和機内の温度とを検出し，室内の温度が当該空気調和機内の温度よりも高く，且つ前記熱交換器の温度が前記熱交換器で凝縮された凝縮水が凍結する既定の第４の温度（例えば，水の凝固点に近い温度２℃）以下である場合に，前記送風ファンを駆動する駆動モータが，該駆動モータの回転数が予め設定された待機時間経過ごとに所定量ずつ徐々に増加するように制御される。
これにより，前記送風ファンによって吸気される室内空気の量が増大して前記熱交換器が暖められるため，前記熱交換器で凝縮された凝縮水の温度が凝固点に達して凍結することを防止することができ，電動圧縮機の動作を停止する必要がない。また，前記送風ファンの駆動モータの回転数は，急激に増加されないため，オーバーシュートに起因する騒音や，前記駆動モータ及び該駆動モータを駆動する駆動回路における過電流の発生を防止することができる。なお，前記駆動モータの回転数の増加は，この駆動モータの許容上限回転数を限度に行われることはいうまでもない。
また，送風ファンや駆動モータの駆動による騒音の防止や消費電力の削減の観点からは，前記駆動モータの回転数の増加は必要最小限にとどめることが望ましい。そこで，前記熱交換器の温度が前記第４の温度よりも高い既定の第５の温度（例えば，５℃）以上になれば，前記熱交換器で発生する凝縮水が凍結するおそれがないため，その時点で前記駆動モータの回転数の増加を停止するよう構成することが望ましい。
【００１０】
さらに，前記熱交換器の温度が上昇し，該熱交換器で発生する凝縮水が凍結するおそれがない場合には，前記駆動モータの回転数は前記増加された回転数である必要がないため，前記熱交換器の検出温度が一定時間以上既定の第６の温度（例えば，１０℃）以上である場合に，既定の下限回転数を限度に前記駆動モータの回転数を徐々に減少させることが考えられる。ここに，前記下限回転数とは，例えば前記空気調和機においてユーザにより設定された風量を出力し得る回転数に相当する。
また，供給電力に応じて発熱する加熱ヒータを更に備えた空気調和機であれば，前記加熱ヒータの使用時に該加熱ヒータの近傍の温度を検出する温度検出手段を，前記熱交換器で発生する凝縮水が凍結するおそれのある冷房運転時に，前記当該空気調和機内の温度を検出する温度検出手段として用いることにより当該空気調和機の構成を簡素化することができる。
ところで，前述のように前記熱交換器で発生する凝縮水の凍結を防止するべく変更された前記駆動モータの回転数など，前記駆動モータの制御状態に関する制御情報を記憶手段（制御情報記憶手段）に記憶しておき，その後は，前記記憶手段に記憶された制御情報に基づいて前記駆動モータの回転数を制御する構成が好適である。かかる構成の具体例としては，冷房運転時の設定温度と室内温度との温度差の大小に応じた前記駆動モータの回転数を前記記憶手段から抽出し，抽出された回転数に基づいて前記駆動モータの回転数を制御する構成が考えられる。
【発明の効果】
【００１１】
本発明によれば，前記送風ファンの駆動モータのオーバーシュートを防止することにより，該オーバーシュートに起因する騒音や，前記駆動モータ及び該駆動モータを駆動する駆動回路における過電流の発生を防止することができる。
また，冷房運転時に室内と大差のある温度が設定された場合であっても，前記駆動モータの回転数を増加させることにより，前記送風ファンによって吸気される室内空気の量を増大させて前記熱交換器を暖めることができるため，電動圧縮機の動作を停止することなく，前記熱交換器で発生する凝縮水の凍結を防止することができる。
【発明を実施するための最良の形態】
【００１２】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る空気調和機の外観図，図２は本発明の実施の形態に係る空気調和機の内部構成を説明するための模式断面図，図３は本発明の実施の形態に係る空気調和機の暖房運転時における駆動モータの回転数制御処理の一例を説明するためのフローチャート，図４は本発明の実施の形態に係る空気調和機の冷房運転時における駆動モータの回転数制御処理の一例を説明するためのフローチャートである。
まず，図１を用いて本発明の実施の形態に係る空気調和機Ｘの外観構成について説明する。
図１に示すように，前記空気調和機Ｘは，該空気調和機Ｘの冷暖房運転の動作調節を行うためにユーザによって操作がなされる操作部１と，室内から空気を吸気するための吸気口２と，当該空気調和機Ｘ内の空気を室内へ吹出すための吹出し口３と，を有してその外観が構成された所謂パッケージエアコンである。前記操作部１は，図１の拡大図Ａに示すように，前記空気調和機Ｘの暖房運転（ＷＡＲＭＥＲ）や冷房運転（ＣＯＯＬＥＲ）の温度を設定するための温度設定スイッチ１ａと，前記空気調和機Ｘの動作モードとして暖房運転（ＨＥＡＴ），送風運転（ＦＡＮ），冷房運転（ＣＯＯＬ）及びこれら各々における風量（ＬＯＷ，ＨＩＧＨ）を設定するための動作モード設定スイッチ１ｂとを有して構成されている。ユーザは，前記温度設定スイッチ１ａ及び前記動作モード設定スイッチ１ｂを操作することにより，前記空気調和機Ｘの動作を調整して室内を所望の温度に調節する。
【００１３】
次に，図２を用いて，前記空気調和機Ｘの内部構成について説明する。
図２に示すように，前記空気調和機Ｘは，室内ユニット１０と室外ユニット２０とに大別される。なお，本発明は，本実施の形態において説明する一体型の空気調和機Ｘに限られず，例えば前記室内ユニット１０及び前記室外ユニット２０が室内外に分離配置される分離型の空気調和機にも適用することが可能である。
前記室内ユニット１０は，室内温度検出センサ１１（室内温度検出手段の一例），送風機１２，熱交換器１３，熱交換器温度検出センサ１４（熱交換器温度検出手段の一例），加熱ヒータ１５（加熱手段の一例），加熱ヒータ温度検出センサ１６（温度検出手段の一例），電力遮断器１７及び制御部１８を備えて概略構成されている。前記制御部１８は，ＣＰＵ及びその周辺装置（ＲＡＭやＲＯＭ等）から構成されており，前記空気調和機Ｘを統括的に制御するものであって，後述する駆動モータの回転数制御処理（図３及び図４のフローチャート参照）を実行する。また，前記制御部１８のＲＯＭ（不図示）には，後述する駆動モータの回転数制御処理（図３のフローチャート参照）で用いられる各種の既定の設定温度が記憶されている。前記既定の設定温度には，前記加熱ヒータ１５が過熱状態であることを判断するための閾値として用いられる過熱温度６５℃（既定の第１の温度の一例）や，前記加熱ヒータ１５の過熱が解消されたことを判断するための閾値として用いられる温度６０℃（既定の第２の温度の一例）などが含まれる。
他方，前記室外ユニット２０は，送風機２１，熱交換器２２及び電動圧縮機（不図示）などを備えて概略構成されている。前記熱交換器２２は，前記送風機２１の駆動によって室外から吸気される空気と前記熱交換器２２内の冷媒との間の熱交換を行う。前記室外ユニット２０に配設された電動圧縮機は，前記室内ユニット１０の熱交換器１３と前記熱交換器２２との間に冷媒を循環させるものであり，前記空気調和機Ｘにおいては，前記電動圧縮機の電動機の回転数が変更されることによって冷暖房の強弱などが調節される。
【００１４】
続いて，図２を参照しつつ，前記室内ユニット１０が具備する各構成要素について詳説する。
前記室内温度検出センサ１１は，前記空気調和機Ｘが配設された室内の温度を検出するために用いられる，例えばサーミスタ等の温度検出センサである。また，前記熱交換器温度検出センサ１４及び前記加熱ヒータ温度検出センサ１６も同様にサーミスタ等の温度検出センサである。前記熱交換器温度検出センサ１４は，前記熱交換器１３の近傍に配設されて該熱交換器１３の近傍の温度の検出に用いられ，前記加熱ヒータ温度検出センサ１６は，前記加熱ヒータ１５の近傍に配設されて該加熱ヒータ１５の近傍の温度の検出に用いられる。
【００１５】
前記送風機１２は，例えばシロッコファン等の送風ファン１２ａと，前記制御部１８によって駆動制御されることにより前記送風ファン１２ａを回転駆動する駆動モータ１２ｂとを有して構成されている。なお，前記駆動モータ１２ｂを制御するときの前記制御部１８が駆動モータ制御手段に相当する。
この送風機１２は，前記送風ファン１２ａを前記駆動モータ１２ｂによって回転駆動することにより，前記吸気口２から室内空気を吸気すると共に当該空気調和機Ｘ内の空気を前記吹出し口３から室内へ送風するものである。本発明の実施の形態に係る前記空気調和機Ｘは，前記送風ファン１２ａを駆動する前記駆動モータ１２ｂの回転数を制御する手法に特徴を有するものであり，この点については後段で詳述する。
【００１６】
前記熱交換器１３は，冷媒を循環させるための冷媒配管（不図示）で前記室外ユニット２０の熱交換器２２と接続されており，前記送風機１２の駆動により前記吸気口２から吸気された空気と前記冷媒との間で熱交換を行うことにより，その空気を加熱或いは冷却するものである。
前記加熱ヒータ１５は，前記送風機１２の駆動により前記吸気口２から吸気されて前記熱交換器１３を経由した空気を加熱する複数の電熱ヒータ１５ａを有する所謂シーズヒータである。
前記熱交換器１３及び前記加熱ヒータ１５による空気の加熱は，例えば，暖房の設定温度と前記室内温度検出センサ１１による検出温度との差に基づいて，いずれか一方或いは両方によって行われる。具体的には，その温度差が小さい場合にはいずれか一方によって，温度差が大きい場合には両方によって空気の加熱が行われる。
【００１７】
前記電力遮断器１７は，例えばバイメタル式の温度ヒューズ等からなり，前記加熱ヒータ温度検出センサ１６による検出温度が８０℃以上に達した場合に作動して前記加熱ヒータ１５への電力供給を遮断し，５０℃以下となった場合には復帰して前記加熱ヒータ１５への電力供給を再開させるものである。
なお，前記室内ユニット１０及び前記室外ユニット２０は，一般的な空気調和機が備えるその他の構成要素を具備するものであるが，かかる構成は従来周知のものであるからここではその説明を省略する。
【００１８】
以上のように構成された前記空気調和機Ｘでは，前記送風機１２の駆動により前記吸気口２から吸気された室内空気が，前記熱交換器１３及び前記加熱ヒータ１５を経由した後，前記吹出し口３から室内へ吹出される。このとき前記吹出し口３から室内に吹出される空気は，前記熱交換器１３や前記加熱ヒータ１５によって加熱され，或いは前記熱交換器１３によって冷却された空気であるため，室内の暖房或いは冷房が実現される。
ところで，前記空気調和機Ｘの暖房運転時に前記加熱ヒータ１５が何らかの原因によって過熱すれば前記空気調和機Ｘにおける他の構成機器への影響が危惧される。なお，前記加熱ヒータ１５の過熱の原因としては，例えば，前記空気調和機Ｘの設置地域毎に異なる商用交流電源からの供給電力値の相違や，該加熱ヒータ１５に係る各種の制御系の故障などが考えられる。また，前記吸気口２や前記吹出し口３に通気用のダクト（不図示）が配設される場合には，該ダクトが配設されない場合に比べて前記吸気口２から吸気量や前記吹出し口３から排気量，即ち前記空気調和機Ｘの室内ユニット１０内の通気量が減少して該室内ユニット１０内に熱がこもりやすくなるため，前記加熱ヒータ１５の過熱が起こり得る。
しかし，本発明の実施の形態に係る前記空気調和機Ｘでは，前記加熱ヒータ１５の過熱を防止し得る適切な回転数で，前記送風機１２の駆動モータ１２ｂを回転させる回転数制御処理が前記制御部１８によって実行される。なお，本実施の形態では，前記加熱ヒータ１５の過熱を防止するために実行される前記駆動モータ１２の回転数制御処理について説明するが，かかる回転数制御処理が，前記熱交換器１３の過熱を防止するために実行されることも他の実施例として考えられる。
【００１９】
以下，図３のフローチャートを用いて，前記空気調和機Ｘの暖房運転時において前記制御部１８により実行される前記回転数制御処理の手順の一例について説明する。ここに，図３中のＳ１，Ｓ２，…は処理手順（ステップ）番号を示している。
ここでは，室内温度が２０℃である場合に，ユーザによる前記温度設定スイッチ１ａ及び前記動作モード設定スイッチ１ｂの操作によって，設定温度が２８℃，動作モードが“ＬＯＷＨＥＡＴ”に設定された場合を例に挙げて説明する。なお，前記空気調和機Ｘでは，動作モードが“ＬＯＷＨＥＡＴ”の場合における前記駆動モータ１２ｂの回転数の初期値が７００ｍｉｎ-1（ｒｐｍ）に予め設定されているものとする。
前記空気調和機Ｘでは，前記操作部１へのユーザ操作によって動作モードが“ＬＯＷＨＥＡＴ”に設定され，暖房運転が開始されると，前記室外ユニット２０では，前記電動圧縮機（不図示）の駆動が開始され，前記熱交換器１３及び前記熱交換器２２の間に冷媒が循環される。他方，前記室内ユニット１０では，前記制御部１８により前記加熱ヒータ１５への電力供給が開始されると共に，前記駆動モータ１２ｂの駆動が開始されて前記送風ファン１２ａの回転が開始される。その後は，室内温度を２８度に維持するように前記電動圧縮機（不図示）などが前記制御部１８によって制御される。
また，前記暖房運転の開始に伴って前記制御部１８では，以下の処理手順に従って前記駆動モータ１２ｂの回転数が制御される回転数制御処理（図３のフローチャート参照）が実行される。これにより，前記空気調和機Ｘでは，前記加熱ヒータ１５の過熱が防止される。
【００２０】
まず，ステップＳ１では，前記加熱ヒータ温度検出センサ１６を用いた前記加熱ヒータ１５の近傍温度の検出が前記制御部１８によって実行される。具体的には，前記加熱ヒータ温度検出センサ１６が，温度に応じて抵抗値が変動するサーミスタである場合，そのサーミスタの抵抗値に基づいて前記加熱ヒータ１５の近傍温度が検出される。
前記加熱ヒータ１５の近傍温度が検出されると，続くステップＳ２では，その検出温度が前記ＲＯＭ（不図示）に予め記憶された過熱温度６５℃以上であるか否かが前記制御部１８により判断される。ここで，前記加熱ヒータ１５の近傍温度が過熱温度６５℃以上であると判断されると（Ｓ２のＹｅｓ側），処理はステップＳ３に移行する。
前記ステップＳ１〜Ｓ２の処理は，該ステップＳ２において前記加熱ヒータ１５の近傍温度が過熱温度６５℃以上であると判断されるまで継続して行われる。
【００２１】
前記加熱ヒータ１５の近傍温度が過熱温度６５℃以上であると判断されると，該過熱を緩和するべく，ステップＳ３では，前記制御部１８によって前記駆動モータ１２ｂが制御されて，該駆動モータ１２ｂの回転数が２０ｍｉｎ-1増加される。即ち，前記駆動モータ１２ｂの回転数が７００ｍｉｎ-1から，７２０ｍｉｎ-1まで増加される。この駆動モータ１２ｂの回転数の増加により前記送風ファン１２ａの回転数が増加するため，前記空気調和機Ｘ内と室内との間の空気の入出量が増加する。これにより，前記空気調和機Ｘ内が室内空気の循環により冷却される空冷作用が強化されて該空気調和機Ｘ内の温度が低下するため，前記加熱ヒータ１５の近傍温度も同様に低下する。
【００２２】
続くステップＳ４では，前記制御部１８によって処理の進行が１０秒間待機され，即ち前記ステップＳ３において増加された前記駆動モータ１２ｂの回転数が増加後の７２０ｍｉｎ-1に１０秒間維持される。そして，１０秒間の経過後，処理はステップＳ５に移行する。
ステップＳ５では，前記加熱ヒータ温度検出センサ１６を用いた前記加熱ヒータ１５の近傍温度の検出が前記制御部１８によって実行され，続くステップＳ６では，その検出温度が６０℃以下であるか否かが前記制御部１８により判断される。ここで，前記加熱ヒータ１５の近傍温度が６０℃より高いと判断されると（Ｓ６のＮｏ側），処理はステップＳ３に移行し，前記駆動モータ１２ｂの回転数が更に２０ｍｉｎ-1増加され，該駆動モータ１２ｂの回転数が７４０ｍｉｎ-1となる。他方，前記加熱ヒータ１５の近傍温度が６０℃以下であると判断されると（Ｓ６のＹｅｓ側），処理はステップＳ１に戻り前記加熱ヒータ１５の近傍温度の監視が継続して行われる。
即ち，当該回転数制御処理では，前記ステップＳ２において前記加熱ヒータ１５の近傍温度が過熱温度６５℃以上であると判断されると，前記駆動モータ１２ｂの回転数が１０秒毎に２０ｍｉｎ-1づつ連続的に増加するように処理され（Ｓ３〜Ｓ４），該増加処理は，前記ステップＳ５において前記加熱ヒータ温度検出センサ１６により検出される検出温度が６０度以下になったと判断されるまで継続して実行される（Ｓ６）。
ここに，前記ステップＳ５及び前記ステップＳ６の処理は，前記ステップＳ４における１０秒間の計時処理と略同時に並行して処理されるものであってもよい。
また，前記ステップＳ３における前記駆動モータ１２ｂの回転数の増加幅（２０ｍｉｎ-1）及び前記ステップＳ４における待機時間（１０秒）は，一例に過ぎない。例えば，前記ステップＳ４における処理の待機時間（１０秒）は，前記加熱ヒータ温度検出センサ１６による検出温度に応じてその都度，前記制御部１８によって変更されるものであってもかまわない。より具体的には，前記加熱ヒータ温度検出センサ１６により検出温度が急激に上昇した場合に，前記制御部１８によって前記待機時間が短く設定されるように構成することによって，前記加熱ヒータ１５の過熱を早期に防止することが可能となる。また，前記ステップＳ４の処理手順を排除して，前記駆動モータ１２ｂの回転数を，前記ステップＳ５及び前記ステップＳ６で費やす処理時間毎に２０ｍｉｎ-1づつ連続的に増加するように処理することも他の実施例として考えられる。
【００２３】
このように，前記空気調和機Ｘでは，前記加熱ヒータ１５の過熱が発生した場合（加熱ヒータ温度検出センサ１６による検出温度≧６５℃）には，該加熱ヒータ１５の過熱の解消（加熱ヒータ温度検出センサ１６による検出温度≦６０℃）までの間，前記ステップＳ４における１０秒間の待機時間経過毎に，前記駆動モータ１２ｂの回転数が徐々に（２０ｍｉｎ-1毎に）増加されるため，該駆動モータ１２ｂの回転数の無駄な増加が防止されている。また，前記駆動モータ１２ｂの回転数を急激に（例えば１００ｍｉｎ-1）増加させるものではないため，該駆動モータ１２ｂの回転数にオーバーシュートが生じることがなく，オーバーシュートに起因する騒音や，前記駆動モータ１２ｂ及び該駆動モータ１２ｂの駆動回路（不図示）における過電流の発生を防止することができる。もちろん，前記室外ユニット２０の電動圧縮機（不図示）の動作を停止させることなく，前記送風ファン１２ａの駆動モータ１２ｂの回転数を増加させることにより前記加熱ヒータ１５の過熱を防止することができるため，前記電動圧縮機（不図示）において消費する電力の浪費が防止され，また，当該空気調和機Ｘにおける暖房効率は低下しない。
また，前記駆動モータ１２ｂの回転数を制御する閾値，即ち前記回転数制御処理（Ｓ１〜Ｓ６）において過熱が発生していると判断する温度６５℃と過熱が発生していないと判断する温度６０℃との間に５℃の温度差（デファレンシャル）を設けているためハンチングが防止されている。なお，前記加熱ヒータ１５の近傍温度が６５℃以上である状態が所定時間継続した場合に，前記駆動モータ１２ｂの回転数を増加させ，前記加熱ヒータ１５の近傍温度が６０℃以下である状態が所定時間継続した場合に，該駆動モータ１２ｂの回転数の増加を終了させることも，他の実施例として考えられる。
【００２４】
また，前記駆動モータ１２ｂの回転数が初期値７００ｍｉｎ-1以上に増加された状態で，続いて設定温度が例えば２５℃以下に設定されて前記空気調和機Ｘの運転状態が送風運転や冷房運転に移行した場合など，前記加熱ヒータ１５の駆動が必要ない状態では，該加熱ヒータ１５が過熱するおそれがない。そのため，前記駆動モータ１２ｂの回転数が前記制御部１８によって初期値に戻されることが望ましい。但し，前記駆動モータ１２ｂの回転数を初期値まで急激に減少させると，騒音が生じてユーザに違和感を与える可能性があるため，前記駆動モータ１２ｂの回転数は，例えば１０秒間毎に所定幅づつ減少させることが望ましい。ここで，前記所定幅は，前記駆動モータ１２ｂの回転数を増加させるときと同様に２０ｍｉｎ-1であってもかまわないが，前記加熱ヒータ１５の過熱を防止する場合とは異なり緊急性がないため，例えば前記所定幅を５ｍｉｎ-1程度とすることによりユーザに違和感を与えない。
【実施例１】
【００２５】
一方，前記空気調和機Ｘの冷房運転時に，前記熱交換器１３の近傍温度が該熱交換器１３で凝縮された凝縮水が凝固点（約０℃）まで低下して該凝縮水が凍結すれば，前記熱交換器１３において冷媒が循環する複数の冷媒配管（不図示）によって形成される間隙が詰まって，空気の通過が妨げられて冷房効率が低下し，更に凝縮水の凍結が進めば該冷媒配管や前記電動圧縮機（不図示）を破損するおそれもある。しかし，前記空気調和機Ｘでは，前記熱交換器１３で発生する凝縮水の凍結を防止し得る適切な回転数で，前記送風機１２の駆動モータ１２ｂを回転させる回転数制御処理が前記制御部１８によって実行される。このとき，前記制御部１８のＲＯＭ（不図示）には，以下の回転数制御処理（図４のフローチャート参照）で用いられる既定の設定温度として，前記熱交換器１３で発生する凝縮水が凍結するおそれのある凝固点に近い温度２℃（既定の第４の温度の一例）や，前記熱交換器１３で発生する凝縮水が凍結するおそれが解消されたことを判断するために用いられる温度５℃（既定の第５の温度の一例）などが記憶されている。
以下，図４のフローチャートを用いて，前記空気調和機Ｘの冷房運転時において前記制御部１８により実行される前記回転数制御処理の手順の一例について説明する。ここに，図４は冷房運転時における駆動モータの回転数制御処理の一例を説明するためのフローチャートであって，図中のＳ１１，Ｓ１２，…は処理手順（ステップ）番号を示している。
ここでは，室内温度が３０℃である場合に，ユーザによる前記温度設定スイッチ１ａ及び前記動作モード設定スイッチ１ｂの操作によって，設定温度が１８℃，動作モードが“ＨＩＧＨＣＯＯＬ”に設定された場合を例に挙げて説明する。なお，前記空気調和機Ｘでは，動作モードが“ＨＩＧＨＣＯＯＬ”の場合における前記駆動モータ１２ｂの回転数の初期値が８００ｍｉｎ-1に予め設定されているものとする。
前記空気調和機Ｘでは，前記操作部１へのユーザ操作によって動作モードが“ＨＩＧＨＣＯＯＬ”に設定され，冷房運転が開始されると，前記室外ユニット２０では，前記電動圧縮機（不図示）の駆動が開始され，前記熱交換器１３及び前記熱交換器２２の間に冷媒が循環される。他方，前記室内ユニット１０では，前記制御部１８により前記駆動モータ１２ｂの駆動が開始されて前記送風ファン１２ａの回転が開始される。その後は，室内温度を１８℃に維持するように前記電動圧縮機（不図示）などが前記制御部１８によって制御される。
また，前記冷房運転の開始に伴って前記制御部１８では，以下の処理手順に従って前記駆動モータ１２ｂの回転数が制御される回転数制御処理（図４のフローチャート参照）が実行される。これにより，前記空気調和機Ｘでは，前記熱交換器１２で発生する凝縮水の凍結が防止される。
【００２６】
まず，ステップＳ１１では，前記熱交換器温度検出センサ１４を用いた前記熱交換器１３の近傍温度の検出が前記制御部１８によって実行される。具体的には，前記熱交換器温度検出センサ１４が，温度に応じて抵抗値が変動するサーミスタである場合，そのサーミスタの抵抗値に基づいて前記熱交換器１３の近傍温度が検出される。
前記熱交換器１３の近傍温度が検出されると，続くステップＳ１２では，その検出温度が前記ＲＯＭ（不図示）に予め記憶された水の凝固点に近い温度２℃以下であるか否かが前記制御部１８により判断される。ここで，前記熱交換器１３の近傍温度が２℃以下であると判断されると（Ｓ２のＹｅｓ側），処理はステップＳ１３に移行する。なお，前記ステップＳ１１〜Ｓ１２の処理は，該ステップＳ１２において前記熱交換器１３の近傍温度が２℃以下であると判断されるまで継続して行われる。
【００２７】
前記熱交換器１３の近傍温度が２℃以下であると判断されると，続くステップＳ１３では，前記室内温度検出センサ１１を用いた室内の温度検出が，ステップＳ１４では，前記加熱ヒータ温度検出センサ１６を用いた前記空気調和機Ｘ内の温度検出が前記制御部１８によって実行される。このように，前記空気調和機Ｘにおいて暖房運転時に使用されて前記加熱ヒータ１５の近傍温度を検出する前記加熱ヒータ温度検出センサ１６は，冷房運転時など，前記加熱ヒータ１５が不使用である場合に前記空気調和機Ｘ内の温度の検出に用いられる。即ち，前記加熱ヒータ温度検出センサ１６が，前記空気調和機Ｘ内の温度を検出する機内温度検出手段を兼ねている。もちろん，前記空気調和機Ｘ内の温度を検出する機内温度検出手段を前記空気調和機Ｘ内に別途配設する構成であってもかまわないことはいうまでもない。
【００２８】
そして，ステップＳ１５では，室内の温度が前記空気調和機Ｘ内の温度よりも高いか否かが前記制御部１８によって判断される。ここで，室内の温度が前記空気調和機Ｘ内の温度よりも高いと判断されると，処理はステップＳ１６に移行する。なお，冷房運転中であるため，室内の温度は前記空気調和機Ｘ内の温度よりも高いことが当然であるが，仮に室内の温度が前記空気調和機Ｘ内の温度以下である場合には，吸気量を増加させても前記空気調和機Ｘ内の温度が上昇しないため，前記駆動モータ１２ｂの回転数を増加させることなく，処理は前記ステップＳ１１に戻る。
ステップＳ１６では，前記熱交換器１３で発生する凝縮水の凍結を阻止するべく，前記制御部１８によって前記駆動モータ１２ｂが制御されて，該駆動モータ１２ｂの回転数が２０ｍｉｎ-1増加される。即ち，前記駆動モータ１２ｂの回転数が８００ｍｉｎ-1から，８２０ｍｉｎ-1まで増加される。この駆動モータ１２ｂの回転数の増加により前記送風ファン１２ａの回転数が増加するため，前記空気調和機Ｘ内と室内との間の空気の入出量が増加する。これにより，前記空気調和機Ｘ内が室内空気の循環により暖められる作用が強化されて該空気調和機Ｘ内の温度が上昇するため，前記熱交換器１３の近傍温度も同様に上昇する。
【００２９】
続くステップＳ１７では，前記制御部１８によって処理の進行が１０秒間待機され，即ち前記ステップＳ１６において増加された前記駆動モータ１２ｂの回転数が増加後の８２０ｍｉｎ-1に１０秒間維持される。そして，１０秒間の経過後，処理はステップＳ１８に移行する。
ステップＳ１８では，前記熱交換器温度検出センサ１４を用いた前記熱交換器１３の温度検出が前記制御部１８によって実行され，続くステップＳ１９では，その検出温度が５℃以上であるか否かが前記制御部１８により判断される。ここで，前記熱交換器１３の近傍温度が５℃未満であると判断されると（Ｓ１９のＮｏ側），処理はステップＳ１６に移行し，前記駆動モータ１２ｂの回転数が更に２０ｍｉｎ-1増加され，該駆動モータ１２ｂの回転数が８４０ｍｉｎ-1となる。他方，前記熱交換器１３の近傍温度が５℃以上であると判断されると（Ｓ１９のＹｅｓ側），処理はステップＳ１１に戻り前記熱交換器１３の近傍温度の監視が継続して行われる。
即ち，当該回転数制御処理では，前記ステップＳ１２において前記熱交換器１３の近傍温度が過熱温度２℃以下であると判断され，且つ前記ステップＳ１５において室内の温度が前記空気調和機Ｘ内の温度よりも高いと判断されると，前記駆動モータ１２ｂの回転数が１０秒毎に２０ｍｉｎ-1づつ連続的に増加するように処理され（Ｓ１６〜Ｓ１７），該増加処理は，前記ステップＳ１８において前記熱交換器温度検出センサ１４により検出される検出温度が５度以上になったと判断されるまで継続して実行される（Ｓ１９）。
ここに，前記ステップＳ１８及び前記ステップＳ１９の処理は，前記ステップＳ１７における１０秒間の計時処理と略同時に並行して処理されるものであってもよい。
また，前記ステップＳ１６における前記駆動モータ１２ｂの回転数の増加幅（２０ｍｉｎ-1）及び前記ステップＳ１７における待機時間（１０秒）は，一例に過ぎない。また，前記ステップＳ１７の処理手順を排除して，前記駆動モータ１２ｂの回転数を，前記ステップＳ１８及び前記ステップＳ１９で費やす処理時間毎に２０ｍｉｎ-1づつ連続的に増加するように処理することも他の実施例として考えられる。
【００３０】
このように，前記空気調和機Ｘでは，前記熱交換器１３で発生する凝縮水が凍結するおそれが生じた場合（熱交換器温度検出センサ１４の検出温度≦２℃），該凝縮水が凍結するおそれが解消（熱交換器温度検出センサ１４の検出温度≧５℃）するまでの間，前記ステップＳ１７における１０秒間の待機時間経過毎に，前記駆動モータ１２ｂの回転数が徐々に（２０ｍｉｎ-1毎に）増加されるため，該駆動モータ１２ｂの回転数の無駄な増加が防止されている。また，前記駆動モータ１２ｂの回転数を急激に（例えば１００ｍｉｎ-1）増加させるものではないため，該駆動モータ１２ｂの回転数にオーバーシュートが生じることがなく，オーバーシュートに起因する騒音や，前記駆動モータ１２ｂ及び該駆動モータ１２ｂの駆動回路（不図示）における過電流の発生を防止することができる。もちろん，前記室外ユニット２０の電動圧縮機（不図示）の動作を停止させることなく，前記送風ファン１２ａの駆動モータ１２ｂの回転数を増加させることにより前記熱交換器１３で発生する凝縮水の凍結を防止することができるため，前記電動圧縮機（不図示）において消費される電力の浪費が防止され，また，当該空気調和機Ｘにおける冷房効率は低下しない。
また，前記駆動モータ１２ｂの回転数を制御する閾値，即ち前記回転数制御処理（Ｓ１１〜Ｓ１９）において前記熱交換器１３で発生する凝縮水の凝固点に近い温度２℃と前記凝縮水が凍結するおそれが解消されたと判断するために用いられる温度５℃との間に３℃の温度差（デファレンシャル）を設けているためハンチングが防止されている。なお，前記熱交換器１３の近傍温度が２℃以下である状態が所定時間継続した場合に，前記駆動モータ１２ｂの回転数を増加させ，前記熱交換器１３の近傍温度が５℃以上である状態が所定時間継続した場合に，該駆動モータ１２ｂの回転数の増加を終了させることも，他の実施例として考えられる。
【００３１】
さらに，前記駆動モータ１２ｂの回転数が初期値８００ｍｉｎ-1以上に増加された状態で，続いて前記空気調和機Ｘの運転状態が送風運転や暖房運転に移行した場合など，前記熱交換器１３で発生する凝縮水が凍結するおそれがない状態では，前記駆動モータ１２ｂの回転数が前記制御部１８によって初期値に戻されることが望ましい。但し，前記駆動モータ１２ｂの回転数を初期値まで急激に減少させると，騒音が生じてユーザに違和感を与える可能性があるため，前記駆動モータ１２ｂの回転数は，例えば１０秒間毎に所定幅づつ減少させることが望ましい。ここで，前記所定幅は，前記駆動モータ１２ｂの回転数を増加させるときと同様に２０ｍｉｎ-1であってもかまわないが，前記熱交換器１３で凝縮された凝縮水の凍結を防止する場合とは異なり緊急性がないため，例えば前記所定幅を５ｍｉｎ-1程度とすることによりユーザに違和感を与えない。
【００３２】
なお，前記空気調和機Ｘが，該空気調和機Ｘを外部のリモートコントローラで制御することができるリモート機能を有する場合に，前記リモートコントローラによって前記電動圧縮機（不図示）や前記加熱ヒータ１５等の構成要素が直接制御されると，前記空気調和機Ｘの制御部１８において該空気調和機Ｘの動作状態（暖房運転，冷房運転）の区別ができない事態が生じる。しかし，前記空気調和機Ｘでは，該空気調和機Ｘの動作状態が暖房運転であるか冷房運転であるかにかかわらず，前記室内温度検出センサ１１，前記熱交換器温度検出センサ１４，前記加熱ヒータ温度検出センサ１６により検出される室内温度や前記熱交換器１３の近傍温度，前記加熱ヒータ１５の近傍温度に基づいて前記駆動モータ１２ｂの回転数が制御されるため，前記リモート機能を有する空気調和機においても前記加熱ヒータ１５の過熱や前記熱交換器１３で発生する凝縮水の凍結を防止することが可能である。
【実施例２】
【００３３】
ところで，前記実施の形態及び前記実施例１において，前記駆動モータ１２ｂの回転数が，前記空気調和機Ｘにおける前記加熱ヒータ１５の過熱，前記熱交換器１３で発生する凝縮水の凍結を防止するべく，既定の時間毎に徐々に増加されることについて述べたが，該駆動モータ１２ｂの回転数は，その駆動モータ１２ｂの仕様に応じた許容回転数を上限として増加されることが望ましい。ここに，前記許容回転数とは，前記駆動モータ１２ｂにかかる負荷（例えば，前記送風ファン１２ａの重量など）や，該駆動モータ１２ｂの仕様によって異なるものであって，該駆動モータ１２ｂや該駆動モータ１２ｂの駆動回路（不図示）が破損するおそれのある回転数をいう。
例えば，前記駆動モータ１２ｂの許容回転数が９００ｍｉｎ-1である場合には，前記ステップＳ３（図３参照）或いは前記ステップＳ１６（図４参照）における前記駆動モータ１２ｂの回転数の増加処理の前段において，該駆動モータ１２ｂの回転数が前記許容回転数９００ｍｉｎ-1以上であるか否かに応じて該駆動モータ１２ｂの回転数を増加させるか否かを判断する処理が前記制御部１８によって実行されることが考えられる。これにより，前記駆動モータ１２ｂの回転数が前記許容回転数９００ｍｉｎ-1以上である場合に，該駆動モータ１２ｂの回転数を増加させないように制御することが可能となるため，前記駆動モータ１２ｂや該駆動モータ１２ｂの駆動回路（不図示）の破損が防止される。
なお，この場合，一方では前記駆動モータ１２ｂの回転数制御によって前記加熱ヒータ１５の過熱を解消し得ないことが考えられるが，前記空気調和機Ｘには前記電力遮断器１７が設けられているため，前記加熱ヒータ１５の近傍温度が８０℃以上となる深刻な過熱は防止される。
また，前記駆動モータ１２ｂの回転数の制御により前記熱交換器１３で発生する凝縮水の凍結を防止することができない場合には，前記室外ユニット２０の電動圧縮機（不図示）の駆動を停止させることにより該凝縮水の凍結防止が実現される。
【実施例３】
【００３４】
また，前記空気調和機Ｘでは，前記駆動モータ１２ｂの回転数が初期値よりも増加された結果，前記加熱ヒータ１５の過熱が防止され，或いは前記熱交換器１３で発生する凝縮水の凍結が防止されるが，これらの問題が解決して安定した状態が一定時間継続した場合には，前記駆動モータ１２ｂを初期値よりも増加した回転数で駆動させる必要がないため，前記増加された前記駆動モータ１２ｂの回転数を減少させることが考えられる。
具体的には，前記制御部１８のＲＯＭ（不図示）に，前記空気調和機Ｘの暖房運転時において増加された前記駆動モータ１２ｂの回転数を減少させると判断するための既定の設定温度として５０℃（既定の第３の温度の一例）を予め記憶させておき，前記加熱ヒータ１５の近傍温度が５０℃である状態が，例えば１分程度継続した場合には，前記駆動モータ１２ｂの回転数を所定幅づつ徐々に減少させるように前記駆動モータ１２ｂを前記制御部１８によって制御することが考えられる。
また，前記制御部１８のＲＯＭ（不図示）に，前記空気調和機Ｘの冷房運転時において増加された前記駆動モータ１２ｂの回転数を減少させると判断するための既定の設定温度として１０℃（既定の第６の温度の一例）を予め記憶させておき，前記熱交換器１３の近傍温度が１０℃である状態が，例えば１分程度継続した場合には，前記駆動モータ１２ｂの回転数を所定幅づつ徐々に減少させるように前記駆動モータ１２ｂを前記制御部１８によって制御することが考えられる。
ここで，前記駆動モータ１２ｂの回転数を減少させる前記所定幅は，前記駆動モータ１２ｂの回転数を増加させるときと同様に２０ｍｉｎ-1であってもかまわないが，前記加熱ヒータ１５の過熱を防止する場合や前記熱交換器１３で発生する凝縮水の凍結を防止する場合とは異なり緊急性がないため，例えば前記所定幅を５ｍｉｎ-1程度とすることによりユーザに違和感を与えない。
なお，前記駆動モータ１２ｂの回転数を，ユーザにより設定された“ＬＯＷ  ＨＥＡＴ”（“ＨＩＧＨＣＯＯＬ”）に対応する初期値である７００ｍｉｎ-1（８００ｍｉｎ-1）を下限回転数として減少させることにより，ユーザ所望の送風量は確保される。
【実施例４】
【００３５】
ところで，前述したように前記加熱ヒータ１５の発熱量は，商用交流電源の電力に地域差があることに起因して変動するが，一度設置されるとその地域内での商用交流電源の電力の変動は少ない。したがって，暖房運転時に，前記加熱ヒータ１５の過熱を防止するべく変更された前記駆動モータ１２ｂの回転数に関する制御情報を所定のメモリ（制御情報記憶手段に相当）に記憶しておき，その後は，その所定のメモリに記憶された制御情報に基づいて前記駆動モータ１２ｂの回転数を制御することにより，商用交流電源の電力の地域差に起因する前記加熱ヒータ１５の過熱を防止することが可能である。具体的には，前記制御部１８が，前記制御情報に基づいて前記空気調和機Ｘの各モードにおける前記駆動モータ１２ｂの回転数の初期値を変更することが考えられる。
【００３６】
また，冷房運転時に，前記熱交換器１３で発生する凝縮水の凍結を防止するべく変更された前記駆動モータ１２ｂの回転数など，前記駆動モータ１２ｂの制御状態に関する制御情報を所定のメモリ（制御情報記憶手段に相当）に記憶しておき，その後は，その所定のメモリに記憶された制御情報に基づいて前記駆動モータ１２ｂの回転数を制御する構成が好適である。かかる構成の具体例としては，冷房運転時の設定温度と室内温度との温度差に応じた，前記熱交換器１３で発生する凝縮水の凍結を防止し得る前記駆動モータ１２ｂの回転数を，前記所定のメモリに記憶しておき，その後は前記冷房運転時の設定温度と室内温度との温度差に応じて前記所定のメモリから前記凝縮水の凍結を防止し得る前記駆動モータ１２ｂの回転数を抽出し，その抽出された回転数に基づいて前記駆動モータ１２ｂを制御する構成が考えられる。
【図面の簡単な説明】
【００３７】
【図１】本発明の実施の形態に係る空気調和機の外観図。
【図２】本発明の実施の形態に係る空気調和機の内部構成を説明するための模式断面図。
【図３】本発明の実施の形態に係る空気調和機の暖房運転における駆動モータの回転数制御の処理手順の一例を示すフローチャート。
【図４】本発明の実施例１に係る空気調和機の冷房運転における駆動モータの回転数制御の処理手順の一例を示すフローチャート。
【符号の説明】
【００３８】
Ｘ…空気調和機
１…操作部
１ａ…温度設定スイッチ
１ｂ…動作モード設定スイッチ
２…吸気口
３…吹出し口
１０…室内ユニット
１１…室内温度検出センサ（室内温度検出手段の一例）
１２…送風機
１２ａ…送風ファン
１２ｂ…駆動モータ
１３…熱交換器
１４…熱交換器温度検出センサ（熱交換器温度検出手段の一例）
１５…加熱ヒータ
１５ａ…電熱ヒータ
１６…加熱ヒータ温度検出センサ（温度検出手段，機内温度検出手段の一例）
１７…電力遮断器
１８…制御部
２０…室外ユニット
２１…送風機
２２…熱交換器
Ｓ１，Ｓ２，，，…処理手順（ステップ）番号
Ｓ１１，Ｓ１２，，，…処理手順（ステップ）番号
【図１】
0004549242.tif 000002
【図２】
0004549242.tif 000003
【図３】
0004549242.tif 000004
【図４】
0004549242.tif 000005